(57)【特許請求の範囲】
【請求項１】
歯列矯正に用いる歯列矯正ワイヤを形成するための歯列矯正ワイヤ形成装置の製造方法であって、
患者の歯型印象を採取する歯型印象採取工程と、
採取した歯型印象に硬石膏を流し込みオリジナル歯型模型を作製するオリジナル歯型模型作製工程と、
前記オリジナル歯型模型の複数の模型歯を個々に分割して、歯列矯正後の目標とする歯並びとなるように各模型歯を疑似歯肉に配列しなおしたセットアップ歯型模型を作製するセットアップ歯型模型作製工程と、
前記セットアップ歯型模型の疑似歯肉上において、歯列矯正に用いるためのワイヤを位置決めして載置可能とした複数の台座を、各模型歯の内側に位置するように形成する台座作製工程と、
前記台座に載置させる前記ワイヤに各模型歯に対応する歯列矯正用のブラケットをそれぞれ締結するブラケット・ワイヤ締結工程と、
前記各模型歯と前記各ブラケットとの間にレジンを充填して前記各模型歯に前記各ブラケットを固着しつつ前記各模型歯の側面から切縁或は咬頭頂までにレジンを延長して接合部を形成する接合部作製工程と、
を有する
ことを特徴とする歯列矯正ワイヤ形成装置の製造方法。
【請求項２】
前記台座作製工程では、前記疑似歯肉上における前記模型歯の内側をなす位置に、座部の基礎となる略三角形状のリングを配設し、前記疑似歯肉から突出しているリング先端の頂部に未硬化状態のレジンを盛り付けて未硬化座部を形成し、当該未硬化座部に前記ワイヤを載置した状態で紫外線を照射して、硬化後に前記ワイヤの外形に対応する凹部が形成された座部を有する台座を形成する
ことを特徴とする請求項１に記載の歯列矯正ワイヤ形成装置の製造方法。
【請求項３】
前記台座作製工程では、前記疑似歯肉上における前記模型歯の内側をなす位置に孔を開け、当該孔にレジンを直接注入して盛り付けて未硬化座部を形成し、当該未硬化座部に前記ワイヤを載置した状態で紫外線を照射して、硬化後に前記ワイヤの外形に対応する凹部が形成された座部を有する台座を形成する
ことを特徴とする請求項１に記載の歯列矯正ワイヤ形成装置の製造方法。
【請求項４】
前記請求項１から３の何れか１項に記載の製造方法で作製された歯列矯正ワイヤ形成装置を用いて形成される歯列矯正ワイヤであって、
中切歯から側切歯まで或は中切歯から犬歯までに相当する前記セットアップ歯型模型の模型歯列の内側面に沿って湾曲させた湾曲部と、
少なくとも側切歯から第二小臼歯までに相当する前記セットアップ歯型模型の各模型歯の隣り合う模型歯間に折り曲げ形成する屈曲部と、
前記屈曲部から前記セットアップ歯型模型の最後の臼歯に相当する位置まで直線状とした直線部と、を具備している
ことを特徴とする歯列矯正ワイヤ。
【請求項５】
各模型歯に対応する歯列矯正用のブラケットを備え、各ブラケットに、前記模型歯と前記ブラケットとの間に形成される接合部を形成し、しかも、この接合部は、前記模型歯との間隙に応じてそれぞれ厚みを異ならせた
ことを特徴とする請求項４に記載の歯列矯正ワイヤ。
【発明の詳細な説明】
【技術分野】
【０００１】
本発明は、歯列矯正に用いる歯列矯正ワイヤを形成するための歯列矯正ワイヤ形成装置の製造方法及び歯列矯正ワイヤに関する。
【背景技術】
【０００２】
患者の歯列矯正には、例えば歯列の唇側の面に歯列矯正ブラケットを取り付けて矯正する方法と、歯列の舌側の面に歯列矯正ブラケットを取り付けて矯正する方法（例えば、特許文献１参照。）とがある。この２種類の歯列矯正方法のうち、舌側の歯列矯正方法について、図７を参照しながら具体的に説明する。
【０００３】
舌側の歯列矯正方法では、患者の歯型印象を採取し、歯型印象に硬石膏を流し込みオリジナル歯型模型を作製する。次にオリジナル歯型模型の各模型歯を分割して、歯列矯正後の目標とする歯並びに配列しなおしたセットアップ歯型模型を作製する。
セットアップ歯型模型Ｍは、疑似歯肉Ｇを蝋材で形成し、この疑似歯肉Ｇに各模型歯Ｔ１，・・，Ｔ７を並べ配列している（例えば図７（ａ）参照。）。
このセットアップ歯型模型Ｍの模型歯の内側（裏側）に沿って歯列矯正用のワイヤを成形する。ここでは、歯列矯正ワイヤとしては、歯列に合わせやすいように外形をマッシュルーム形状に成形したものを用いており、このマッシュルーム形状の歯列矯正ワイヤ１１０に３本のアームを固着する。これら３本のアーム１１１，１１１，１１１をセットアップ歯型模型Ｍの各模型歯Ｔ１，・・，Ｔ７間の内側から外側（表側）に架設して、歯列矯正ワイヤ１１０はセットアップ歯型模型Ｍの模型歯の所定部分に位置決め固定される。
その後、歯列矯正ワイヤ１１０に歯列矯正用のブラケットＢ１，・・，Ｂ７を取り付けて、ブラケットを模型歯に接合するためのレジンをブラケットと各模型歯との間に注入してブラケットの接合部を形成する。このような工程を経て、歯列矯正に用いる歯列矯正ワイヤを形成するための歯列矯正ワイヤ形成装置１０１が製造される（例えば、図７（ｂ）参照。）。
次に、各模型歯の外形（歯牙形態）を写した接合部と一体のブラケットＢ１，・・，Ｂ７を取り外して、患者の口腔内の各歯にそのブラケットをそれぞれ取り付けて、さらに各ブラケットと初期過程の歯列矯正ワイヤ１１０とを締結（結紮）し、歯列の矯正具合に応じて、歯列矯正ワイヤ１１０の線の太さを徐々に太くして、舌側の歯列矯正が行われている。
【０００４】
ところで、上述した歯列矯正ワイヤには、外形をマッシュルーム形状にしたものの他にアーチ形状とした既成のアーチワイヤがある。このような既成のアーチワイヤをセットアップ歯型模型の模型歯の内側に沿って、さらに各模型歯とアーチワイヤの各対応部分との相対距離が短くなるように、アーチワイヤの形状を複雑に屈曲して成形する。
このように複雑に屈曲して成形した歯列矯正ワイヤにアームを固着して、歯列矯正ワイヤはセットアップ歯型模型の模型歯の所定部分に位置決め固定される。
その後、複雑に屈曲した歯列矯正ワイヤに歯列矯正用のブラケットを取り付けて、ブラケットを模型歯に接合するためのレジンをブラケットと各模型歯との間に注入してブラケットの接合部を形成する。このとき複雑に屈曲した歯列矯正ワイヤには、各模型歯とアーチワイヤの各対応部分との相対距離が短くなるように、接合部の厚みを薄く形成している。このような工程を経て、歯列矯正に用いる歯列矯正ワイヤを形成するための歯列矯正ワイヤ形成装置が製造される。
次に、各模型歯の外形を写した接合部と一体のブラケットを取り外して、患者の口腔内の各歯にそのブラケットをそれぞれ取り付けて、さらに各ブラケットと初期過程の歯列矯正ワイヤとを締結し、歯列の矯正具合に応じて、歯列矯正ワイヤの線の太さを徐々に太くして、舌側の歯列矯正が行われている。
【先行技術文献】
【特許文献】
【０００５】
【特許文献１】特許第３１１８２１３号公報
【発明の開示】
【発明が解決しようとする課題】
【０００６】
しかしながら、上述した何れの歯列矯正ワイヤにおいても、同ワイヤを位置決め固定するためのアームがセットアップ歯型模型の各模型歯の外形部分にはみ出しているために、各模型歯にブラケットを接合した場合に、レジンを注入してブラケットと各模型歯とを接合して形成するブラケットの接合部に各模型歯の外形を正確に写すことができず、その後、患者の口腔内の各歯に接合部と一体のブラケットを取り付ける際に、最適な位置に取り付けることができない問題があった。さらに、歯列矯正ワイヤと各アームとは、固着されているために、歯列矯正ワイヤを挿通するタイプのブラケットチューブは各アームが障害となるために使用できない問題があった。
【０００７】
また、上述した歯列矯正ワイヤは、複雑に屈曲した外形であるために、医療従事者にとってその外形のものを作製するのに作製時間がかかると共にワイヤ曲げの熟練度が必要であった。
【０００８】
そこで、本発明では、歯列矯正ワイヤをセットアップ歯型模型の各歯に位置決め固定する際に各歯の外形をブラケットに正確に写すことができると共に矯正用のワイヤに様々なタイプのブラケットを使用できる歯列矯正ワイヤ形成装置の製造方法及び、短い時間で所望の外形のものを作製でき、ワイヤ曲げの熟練度を必要としない歯列矯正ワイヤを提供することを目的とする。
【課題を解決するための手段】
【０００９】
上記目的を達成するため、請求項１に記載の歯列矯正ワイヤ形成装置の製造方法は、歯列矯正に用いる歯列矯正ワイヤを形成するための歯列矯正ワイヤ形成装置の製造方法であって、患者の歯型印象を採取する歯型印象採取工程と、採取した歯型印象に硬石膏を流し込みオリジナル歯型模型を作製するオリジナル歯型模型作製工程と、前記オリジナル歯型模型の複数の模型歯を個々に分割して、歯列矯正後の目標とする歯並びとなるように各模型歯を疑似歯肉に配列しなおしたセットアップ歯型模型を作製するセットアップ歯型模型作製工程と、前記セットアップ歯型模型の疑似歯肉上において、歯列矯正に用いるためのワイヤを位置決めして載置可能とした複数の台座を、各模型歯の内側に位置するように形成する台座作製工程と、前記台座に載置させる前記ワイヤに各模型歯に対応する歯列矯正用のブラケットをそれぞれ締結するブラケット・ワイヤ締結工程と、前記各模型歯と前記各ブラケットとの間にレジンを充填して前記各模型歯に前記各ブラケットを固着しつつ前記各模型歯の側面から切縁或は咬頭頂までにレジンを延長して接合部を形成する接合部作製工程と、を有することを特徴とする。
【００１０】
請求項２に記載の発明は、請求項１に記載の歯列矯正ワイヤ形成装置の製造方法において、前記台座作製工程では、前記疑似歯肉上における前記模型歯の内側をなす位置に、前記座部の基礎となる略三角形状のリングを配設し、前記疑似歯肉から突出しているリング先端の頂部に未硬化状態のレジンを盛り付けて未硬化座部を形成し、当該未硬化座部に前記ワイヤを載置した状態で紫外線を照射して、硬化後に前記ワイヤの外形に対応する凹部が形成された座部を有する台座を形成することを特徴とする。
【００１１】
請求項３に記載の発明は、請求項１に記載の歯列矯正ワイヤ形成装置の製造方法において、前記台座作製工程では、前記疑似歯肉上における前記模型歯の内側をなす位置に孔を開け、当該孔にレジンを直接注入して盛り付けて未硬化座部を形成し、当該未硬化座部に前記ワイヤを載置した状態で紫外線を照射して、硬化後に前記ワイヤの外形に対応する凹部が形成された座部を有する台座を形成することを特徴とする。
【００１２】
請求項４に記載の発明は、請求項１から３の何れか１項に記載の製造方法で作製された歯列矯正ワイヤ形成装置を用いて形成される歯列矯正ワイヤであって、中切歯から側切歯まで或は中切歯から犬歯までに相当する前記セットアップ歯型模型の模型歯列の内側面に沿って湾曲させた湾曲部と、少なくとも側切歯から第二小臼歯までに相当する前記セットアップ歯型模型の各模型歯の隣り合う模型歯間に折り曲げ形成する屈曲部と、前記屈曲部から前記セットアップ歯型模型の最後の臼歯に相当する位置まで直線状とした直線部と、を具備していることを特徴とする。
【００１３】
請求項５に記載の発明は、請求項４に記載の歯列矯正ワイヤにおいて、各模型歯に対応する歯列矯正用のブラケットを備え、各ブラケットに、前記模型歯と前記ブラケットとの間に形成される接合部を形成し、しかも、この接合部は、前記模型歯との間隙に応じてそれぞれ厚みを異ならせたことを特徴とする。
【発明の効果】
【００１４】
本発明に係る歯列矯正ワイヤ形成装置の製造方法によれば、歯列矯正ワイヤをセットアップ歯型模型の各模型歯に位置決め固定する際にレジンを注入してブラケットと各模型歯とを接合して形成されるブラケットの接合部に各模型歯の外形を正確に写すことができるために患者の各歯に歯列矯正ブラケットを正確な位置に取り付けることができると共に矯正用のワイヤに様々なタイプの歯列矯正ブラケットを使用できる効果がある。
【図面の簡単な説明】
【００１５】
【図１】本発明に係る実施形態の歯列矯正ワイヤ形成装置の製造方法の工程を示す斜視図である。
【図２】本発明に係る実施形態の歯列矯正ワイヤ形成装置の製造方法の工程を示す要部拡大図である。
【図３】本発明に係る実施形態の歯列矯正ワイヤ形成装置の製造方法の工程を示す平面図である。
【図４】本発明に係る実施形態の歯列矯正ワイヤ形成装置の製造方法の工程を示す平面図である。
【図５】本発明に係る実施形態の歯列矯正ワイヤ形成装置の製造方法の工程を示す斜視図である。
【図６】歯列矯正ワイヤの各種形状を示す斜視図である。
【図７】従来の歯列矯正ワイヤ形成装置の製造方法を示す工程図である。
【発明を実施するための形態】
【００１６】
本発明に係る歯列矯正に用いる歯列矯正ワイヤを形成するための歯列矯正ワイヤ形成装置の製造方法は、患者の歯型印象を採取する歯型印象採取工程と、採取した歯型印象に硬石膏を流し込みオリジナル歯型模型を作製するオリジナル歯型模型作製工程と、オリジナル歯型模型の複数の模型歯を個々に分割して、歯列矯正後の目標とする歯並びとなるように各模型歯を疑似歯肉に配列しなおしたセットアップ歯型模型を作製するセットアップ歯型模型作製工程とを有しており、本発明の特徴は、セットアップ歯型模型の疑似歯肉上において、歯列矯正に用いるためのワイヤを位置決めして載置可能とした複数の台座を、各模型歯の内側に位置するように形成する台座作製工程と、を有している点である。
【００１７】
従来のような歯列矯正ワイヤをアーム構造を介してセットアップ歯型模型に架設する必要がなくなり、歯列矯正ワイヤをセットアップ歯型模型の各歯に位置決め固定する際にレジンを注入してブラケットと各模型歯とを接合して形成されるブラケットの接合部に各模型歯の外形を欠損することなく正確に写すことができる。
【００１８】
そして、このような接合部と一体のブラケットが形成されるために患者の各歯に対応して歯列矯正ブラケットを正確な位置に取り付けることができる。また、歯列矯正ワイヤにアームがないために、歯列矯正ワイヤに様々なタイプの歯列矯正ブラケットや歯列矯正ブラケットチューブを使用できる効果がある。
【００１９】
台座作製工程においては、疑似歯肉上における前記模型歯の内側をなす位置に、前記座部の基礎となる略三角形状のリングを配設し、前記疑似歯肉から突出しているリング先端の頂部に未硬化状態のレジンを盛り付けて未硬化座部を形成し、当該未硬化座部に前記ワイヤを載置した状態で紫外線を照射して、硬化後にワイヤの外形に対応する凹部が形成された座部を有する台座を形成している。
【００２０】
このようにして歯列矯正ワイヤを固定するための台座を容易に形成することができる。
【００２１】
また、他の台座作製工程においては、前記疑似歯肉上における前記模型歯の内側をなす位置に孔を開け、当該孔にレジンを直接注入して盛り付けて未硬化座部を形成し、当該未硬化座部に前記ワイヤを載置した状態で紫外線を照射して、硬化後に前記ワイヤの外形に対応する凹部が形成された座部を有する台座を形成するようにしてもよい。
【００２２】
歯列矯正ワイヤ形成装置とは、歯列矯正に用いる歯列矯正ワイヤを形成するための装置であり、この歯列矯正ワイヤ形成装置を用いて歯列矯正ワイヤが形成される。
【００２３】
歯列矯正ワイヤは、中切歯から側切歯まで或は中切歯から犬歯までに相当するセットアップ歯型模型の模型歯列の内側面に沿って湾曲させた湾曲部と、少なくとも側切歯から第二小臼歯までに相当するセットアップ歯型模型の各模型歯の隣り合う模型歯間に折り曲げ形成する屈曲部と、屈曲部からセットアップ歯型模型の最後の臼歯に相当する位置まで直線状とした直線部と、を具備している。
【００２４】
また、歯列矯正ワイヤは、各模型歯に対応する歯列矯正用のブラケットを備え、各ブラケットに、模型歯とブラケットとの間に形成される接合部を形成し、しかも、この接合部は、模型歯との間隙に応じてそれぞれ厚みを異ならせている。
【００２５】
本歯列矯正ワイヤは、屈曲部からセットアップ歯型模型の最後の臼歯に相当する位置まで直線状とした直線部とすることにより、患者の口腔内における各歯に歯列矯正ブラケットを固着し、さらにブラケットに歯列矯正ワイヤを取り付けた後において、ブラケットに対してワイヤを摺動させるスライディングメカニクスを効率よく機能することが可能となる。
【００２６】
また、明確な転換点を左右のワイヤ形状に屈曲部を各１個所設けることによりワイヤベンディング作業が短時間で完了することができる。左右の対称性を把握し易い形状とすることができる。上顎用に形成した上顎歯列矯正ワイヤと下顎用に形成した下顎歯列矯正ワイヤとを重ね合わせて調整を行うアーチコーディネーションを容易に行うことができる。
【００２７】
さらに、本歯列矯正ワイヤは、屈曲部を形成するファーストオーダーベンドを行うだけで形状を整えることができる。従来のワイヤで行うセカンドオーダーベンド（垂直的ワイヤ曲げ）やサードオーダーベンド（ねじり或はトルク付与を得る曲げ）を行うような複雑なワイヤ曲げを行うための熟練度を必要としない効果がある。
【００２８】
以下、図面を参照しながら、本発明に係る歯列矯正ワイヤ形成装置の製造方法及び歯列矯正ワイヤの一実施形態について説明する。図中のセットアップ歯型模型Ｍにおける各模型歯Ｔ１，・・，Ｔ７は、患者の各歯に対応しており、以下の説明において模型歯Ｔ１は中切歯、模型歯Ｔ２は側切歯、模型歯Ｔ３は犬歯、模型歯Ｔ４（図示しない）は第一小臼歯、模型歯Ｔ５は第二小臼歯、模型歯Ｔ６は第一大臼歯、模型歯Ｔ７は第二大臼歯、模型歯Ｔ８は第三大臼歯という場合がある。本例では、第一小臼歯Ｔ４，Ｔ４および第三大臼歯Ｔ８，Ｔ８を抜歯して行う歯列矯正の歯型模型を例に説明する。
【００２９】
歯列矯正に用いる歯列矯正ワイヤを形成するための歯列矯正ワイヤ形成装置の製造方法では、歯型印象採取工程、オリジナル歯型模型作製工程、セットアップ歯型模型作製工程、歯列矯正ワイヤ形成工程、ブラケット・ワイヤ調整工程、台座作製工程、ブラケット・ワイヤ締結工程、接合部作製工程のような各工程が行われる。
【００３０】
［歯型印象採取工程］
図示しない患者の上顎側の歯列矯正を行うにあたり、例えば、第一小臼歯Ｔ４，Ｔ４を２本抜歯した後の歯型印象を採取する。
【００３１】
［オリジナル歯型模型作製工程］
採取した歯型印象に硬石膏を流し込みオリジナル歯型模型を作製する。
【００３２】
［セットアップ歯型模型作製工程］
オリジナル歯型模型の複数の模型歯を個々に分割して、歯列矯正後の目標とする歯並びとなるように各模型歯を疑似歯肉に配列しなおしたセットアップ歯型模型Ｍ作製する。図１（ａ）に示すように、セットアップ歯型模型Ｍは、疑似歯肉Ｇを蝋材で形成し、この疑似歯肉Ｇに各模型歯Ｔ１，・・，Ｔ７を並べ配列した構成としている。
【００３３】
［歯列矯正ワイヤ形成工程］
セットアップ歯型模型Ｍにおいて、模型歯Ｔ１，・・，Ｔ７の内側面（患者の口腔内の舌側面に相当）に合わせて、歯科矯正用のアーチ形状のワイヤを側切歯Ｔ２と犬歯Ｔ３間で折り曲げて屈曲部１２，１２をそれぞれ形成し、歯列矯正ワイヤ１０を作製する。この歯列矯正ワイヤ１０は、中切歯Ｔ１から側切歯Ｔ２までに相当するセットアップ歯型模型Ｍの模型歯列の内側面に沿って湾曲させた湾曲部１１と、少なくとも側切歯Ｔ２から第二小臼歯Ｔ５までに相当するセットアップ歯型模型Ｍの各模型歯Ｔ２，・・，Ｔ５の隣り合う側切歯Ｔ２から犬歯Ｔ３模型歯間に折り曲げ形成する屈曲部１２，１２と、各屈曲部１２を境に犬歯Ｔ３から最後の第二大臼歯Ｔ７に相当する位置まで直線状とした直線部１３とを具備している。なお、歯列矯正ワイヤ１０をトリペゾイドワイヤともいう。
【００３４】
［ブラケット・ワイヤ調整工程］
歯列矯正ワイヤ１０に、各模型歯Ｔ１，・・，Ｔ７に対応する歯列矯正ブラケットＢ１，・・，Ｂ７をそれぞれ輪ゴムを用いて仮締結（仮結紮）した状態で、内側の各歯Ｔ１，・・，Ｔ７とブラケットＢ１，・・，Ｂ７との相対距離を確認したのち、歯列矯正ワイヤ１０の屈曲部１２，１２の角度が正確に決定される。そして、一旦、歯列矯正ワイヤ１０からブラケットＢ１，・・，Ｂ７を取り外す。
【００３５】
［台座作製工程］
セットアップ歯型模型Ｍの疑似歯肉Ｇ上において、図１から図３に示すように、歯列矯正に用いるための歯列矯正ワイヤ１０を位置決めして載置可能とした複数の台座２０，・・，２０を、各模型歯Ｔ１，・・，Ｔ７の内側に位置するように形成する。
【００３６】
すなわち、台座作製工程について、より具体的に説明する。
【００３７】
図１（ａ）及び図３（ａ）に示すように、疑似歯肉Ｇ上における模型歯Ｔ１，・・，Ｔ７の内側をなす位置に、座部２１の基礎となる略三角形状のリング２２を配設する。すなわち、略三角形状のリング２２は、先端を鋭角に折り曲げた頂部２２Ｔと、基部をそれぞれ向い合うように屈曲した屈曲部２２Ｕとを有している。
しかも、このリング２２は、屈曲部２２Ｕを模型歯の内側の疑似歯肉Ｇに埋没し、頂部２２Ｔを模型歯の内側の疑似歯肉Ｇから突出した状態をなしている。このようにリング２２は、疑似歯肉Ｇに屈曲部２２Ｕを埋没することで、疑似歯肉Ｇから抜けなくなると共にリング自身が回転することがなくなる。
【００３８】
図１（ｂ）に示すように、疑似歯肉Ｇから突出している各リング２２先端の頂部２２Ｔに未硬化状態のレジンを所定高さとなるように盛り付けて未硬化状態の座部２１Ａを形成する。このとき頂部２２Ｔの内側空間にレジンが入り込む状態となり、この部分が硬化すると、リング２２と座部２１とを強固に結合して、抜けや回転を防ぐこととなる。
【００３９】
図１（ｃ）及び図３（ｂ）に示すように、未硬化座部２１Ａに歯列矯正ワイヤ１０を載置する。
複数の未硬化座部２１Ａ，・・，２１Ａのうち、先端の未硬化座部２１Ａが左右の中切歯Ｔ１，Ｔ１間でかつ内側の疑似歯肉Ｇに設けられる。先端の未硬化座部２１Ａには、歯列矯正ワイヤ１０先端周面をその上面を除いて囲繞する凹部２１Ｃ（図２参照）を形成している。
また、中間の座部２１Ａが第二小臼歯Ｔ５と第一大臼歯Ｔ６間でかつ内側の疑似歯肉Ｇに設けられる。中間の座部２１Ａは、歯列矯正ワイヤ１０中途部周面をその上面を除いて囲繞する凹部２１Ｃを形成している。
さらに、終端の各座部２１Ａが左右の第二大臼歯Ｔ７，Ｔ７の咽喉部側（いわゆる患者の口腔内の咽喉部側）でかつ内側の疑似歯肉Ｇにそれぞれ設けられる。各終端の座部２１Ａは、歯列矯正ワイヤ１０終端を係合自在とする終端凹部２１Ｄ（図２参照）を形成している。
【００４０】
すなわち、凹部２１Ｃは、歯列矯正ワイヤ１０の先端部及び中途部の前後面と下面とに接触する面を備えており、これらの面に歯列矯正ワイヤ１０の先端部及び中途部の各面が当接することにより、歯列矯正ワイヤ１０の左右の移動を規制することができる。
また、これら各終端凹部２１Ｄは、歯列矯正ワイヤ１０の終端部の前後面と下面と端面とに接触する面を備えており、これらの面に歯列矯正ワイヤ１０の終端部の各面が当接することにより、歯列矯正ワイヤ１０の前後左右の移動を規制することができる。なお、歯列矯正ワイヤ１０の前後とは、軸線方向であり、左右とは、軸線方向に対して直交し且つ水平方向である。
【００４１】
未硬化座部２１Ａに歯列矯正ワイヤ１０を取り付けた状態のまま紫外線を照射して硬化する。硬化した座部２１には、歯列矯正ワイヤ１０の外形に対応しつつ脱着自在に係合する凹部２１Ｃ或は終端凹部２１Ｄが形成される。このようにして、模型歯内側の疑似歯肉Ｇにおける左右の中切歯Ｔ１，Ｔ１間、第二小臼歯Ｔ５と第一大臼歯Ｔ６間、第二大臼歯Ｔ７，Ｔ７の咽喉部側にそれぞれ台座２０，・・，２０が形成される。
また、歯列矯正ワイヤ１０が載置された際に、これら台座２０は、歯列矯正ワイヤ１０を各模型歯の切縁や咬頭頂から降下した高さＨに形成される仮想略水平平面に載置した態様を維持することができる。
【００４２】
［ブラケット・ワイヤ締結工程］
図４（ａ）に示すように、歯列矯正ワイヤ１０に、各模型歯Ｔ１，・・，Ｔ７に対応する歯列矯正用のブラケットＢ１，・・，Ｂ７をそれぞれ締結する。
【００４３】
［接合部作製工程］
そして、図４（ｂ）及び図５（ａ）に示すように、各模型歯Ｔ１，・・，Ｔ７の内側の側面と歯列矯正ブラケットＢ１，・・，Ｂ７との間にレジンを充填して固着しつつ、各模型歯Ｔ１，・・，Ｔ７の側面から切縁或は咬頭頂までにレジンを延長して接合部２３，・・，２３を形成する。接合部２３，・・，２３は、硬化すると各模型歯Ｔ１，・・，Ｔ７の外形となる。すなわち、各接合部２３，・・，２３のうち中切歯Ｔ１と側切歯Ｔ２の接合部２３は、切縁からさらに延伸して外側（表側或は患者の口腔内の唇側に相当）まで覆い、また、犬歯Ｔ３や各臼歯Ｔ５，Ｔ６，Ｔ７の接合部２３は、咬合面を覆うように構成している。なお、各模型歯Ｔ３，・・，Ｔ７の内側の側面と歯列矯正ブラケットＢ３，・・，Ｂ７との間隙に応じてレジンを充填して硬化した各接合部２３の厚みは、それぞれ異なるように構成されている。
【００４４】
上述した工程を経て、本歯列矯正ワイヤ形成装置１が製造される。
【００４５】
この接合部を備えたブラケットＢ１，・・，Ｂ７をセットアップ歯型模型Ｍの各模型歯Ｔ１，・・，Ｔ７から取り外すと共に、セットアップ歯型模型Ｍの台座２０の座部２１から歯列矯正ワイヤ１０を取り外す。歯列矯正ワイヤ１０には、従来のような取り付けアームを連結してないために、ブラケットチューブであっても取り外すことができる。歯列矯正ワイヤ１０は、歯列矯正の初期過程から最終課程にかけて段階的にワイヤを細いものから太いものを用いるが、これら段階的に使用する歯列矯正ワイヤの形状を写す際にも使用することとなる。
また、歯列矯正ワイヤ１０は、歯列矯正の最終過程で患者の口腔内で使用することもできる。すなわち、上述した台座作製工程を終えたセットアップ歯型模型Ｍさえあれば、歯列矯正ワイヤを再作製することが可能となる。
【００４６】
図５（ｂ）に示すように、接合部と一体のブラケットＢ１，・・，Ｂ７を患者の口腔内の各歯３０，・・３０にそれぞれ接着する。このとき患者の各歯３０，・・３０は、セットアップ歯型模型Ｍの各歯とは異なる方向を向いている。
【００４７】
しかし、接合部付きのブラケットＢ１，・・，Ｂ７は、各歯３０，・・３０毎の外形を備えているために、歯並びとは関係がなく装着することができる。ここで、ブラケットＢ１，・・，Ｂ７から左右にはみ出した不要な接合部の一部を削除するようにしている。このようにして、ブラケットＢ１，・・，Ｂ７は、患者の口腔内の各歯への取り付けが終了する。
【００４８】
上述した歯列矯正ワイヤ形成装置を用いて形成される歯列矯正ワイヤ１０は、屈曲部１２，１２を成形するファーストベンドのみを行えば形状の成形が完了するために、従来のアーチワイヤで行うセカンドベンドやサードベンドの必要性がなくなり、技術の熟度に関係なく成形できる効果がある。
【００４９】
なお、上述した台座２０の基礎には、略三角形状のリング２２を用いたが、棒形状のものや長方形状の板であってもよい。この長方形状の板には、長手方向の上端と下端付近に穿設してそれぞれ孔を設けるようにしてもよい。セットアップ歯型模型Ｍにおいて、この板の下部を疑似歯肉Ｇに埋没させると、一方の孔に疑似歯肉Ｇの蝋材が入り込み強固に固着する。この板の上部に座部となるレジンを盛り付けた際に、他方の孔にレジンが入り込み、硬化した際に座部と板とを強固に結合することとなる。
【００５０】
なお、患者の歯列に応じて、第一小臼歯Ｔ４，Ｔ４および第三大臼歯Ｔ８，Ｔ８を残した形態のままの歯列矯正の歯型模型を作製する際は、この歯型模型に応じて、歯科矯正ワイヤ形成装置の製造方法及び歯列矯正ワイヤを適宜変更することとなる。例えば、第一小臼歯Ｔ４，Ｔ４を残した歯型模型の場合は、歯列矯正ワイヤ１０の屈曲部１２を犬歯Ｔ３と第一小臼歯Ｔ４間或は第一小臼歯Ｔ４と第二小臼歯Ｔ５間に設けることとなる。また、第三第臼歯Ｔ８，Ｔ８を残した歯型模型の場合は、第三大臼歯Ｔ８，Ｔ８が最後の臼歯となる。すなわち、患者の各歯の配列に応じて、適宜変更可能である。
【００５１】
歯列矯正ワイヤの各断面形状について、図６を参照しながら説明する。
図６（ａ）に示す歯列矯正ワイヤ１０の断面形状は、断面視正方形状に形成されている。図６（ｂ）に示す歯列矯正ワイヤ４０の断面形状は、断面視長方形状に形成されている。図６（ｃ）に示す歯列矯正ワイヤ５０の断面形状は、断面視円形状に形成されている。
【００５２】
このような断面形状の歯列矯正ワイヤ１０，４０，５０であっても、ファーストベンドを１度行った屈曲部１２，１２を形成するだけで、歯列矯正ワイヤの成形を完了することができる。
【００５３】
［他の台座作製工程］
また、他の台座作製工程としては、疑似歯肉Ｇ上における前記模型歯の内側をなす位置に孔を開け、孔にレジンを直接注入して盛り付けて未硬化座部２１Ａを形成し、未硬化座部２１Ａに歯列矯正ワイヤ１０を載置した状態で紫外線を照射して、硬化後に歯列矯正ワイヤ１０の外形に対応する凹部が形成された座部２１を形成するようにしてもよい。この場合は、基礎にリングを用いず台座を作製することができる。
【００５４】
以上の実施形態により、以下の歯列矯正ワイヤ形成装置の製造方法及び歯列矯正ワイヤが実現される。
【００５５】
すなわち、歯列矯正に用いる歯列矯正ワイヤを形成するための歯列矯正ワイヤ形成装置の製造方法であって、患者の歯型印象を採取する歯型印象採取工程と、採取した歯型印象に硬石膏を流し込みオリジナル歯型模型を作製するオリジナル歯型模型作製工程と、前記オリジナル歯型模型の複数の模型歯Ｔ１，・・，Ｔ７を個々に分割して、歯列矯正後の目標とする歯並びとなるように各模型歯を疑似歯肉Ｇに配列しなおしたセットアップ歯型模型Ｍを作製するセットアップ歯型模型作製工程と、セットアップ歯型模型Ｍの疑似歯肉Ｇ上において、歯列矯正に用いるためのワイヤ（例えば、歯列矯正ワイヤ１０）を位置決めして載置可能とした複数の台座２０，・・２０を、各模型歯の内側（裏側）に位置するように形成する台座作製工程と、を有する。
【００５６】
また、台座作製工程では、疑似歯肉Ｇ上における模型歯Ｔ１，・・，Ｔ７の内側をなす位置に、座部２１の基礎となる略三角形状のリング２２を配設し、疑似歯肉Ｇから突出しているリング先端の頂部２２Ｔに未硬化状態のレジンを盛り付けて未硬化座部２１Ａを形成し、未硬化座部２１Ａにワイヤ（例えば、歯列矯正ワイヤ１０）を載置した状態で紫外線を照射して、硬化後にワイヤの外形に対応する凹部２１Ｃが形成された座部２１を有する台座２０を形成する。
【００５７】
また、他の台座作製工程では、疑似歯肉Ｇ上における模型歯Ｔ１，・・，Ｔ７の内側をなす位置に孔を開け、孔にレジンを直接注入して盛り付けて未硬化座部２１Ａを形成し、未硬化座部２１Ａにワイヤ（例えば、歯列矯正ワイヤ１０）を載置した状態で紫外線を照射して、硬化後にワイヤの外形に対応する凹部２１Ｃが形成された座部を有する台座を形成する。
【００５８】
本歯列矯正ワイヤ形成装置の製造方法によれば、歯列矯正ワイヤをセットアップ歯型模型の各歯に位置決め固定する際に各模型歯の外形をブラケットの接合部分に正確に写すことができるために患者の各歯にブラケットを正確な位置に取り付けることができると共に歯列矯正ワイヤに様々なタイプのブラケットを使用できる効果がある。
【００５９】
さらに、歯の舌側の疑似歯肉に歯列矯正ワイヤを載置固定する座部を設けることにより、歯牙形態を最大限利用した接合部（インダイレクトボンドコア）を作製できる。従来の歯列矯正ワイヤをアームでセットアップ歯型模型に固定する方法より、シンプルで、歯列矯正ワイヤの位置ズレを生じず、変形や破折しにくい効果がある。歯列矯正ワイヤは座部に載置固定されるためセットアップ歯型模型の前後左右、上下へのズレが生じない。座部を作製することにより、歯列矯正ワイヤを載置する仮想水平面を各歯の切縁或は咬頭頂から下方の所定高さに正確に設けることができ、従来の視覚的ミスによる再作製を軽減することができる。
【００６０】
また、本歯科矯正ワイヤ形成装置の保管管理がし易い効果がある。本歯列矯正ワイヤは、患者の歯列矯正時の最終ワイヤとして用いることができる。セットアップ歯型模型において、各歯間に設けた座部に歯列矯正ワイヤを載置固定する構造のため、従来のワイヤ固定構造のような歯牙に維持を求めなくて済み、虫歯などによる歯牙形態の変化にも柔軟に対応することができる。歯列矯正ワイヤには、従来のようなアームがないため、矯正用のブラケットを脱着できると共にブラケットチューブ（挿通型のブラケット）を脱着することができる。
【００６１】
さらに、歯列矯正ワイヤには、従来のようなアーム構造がないため、上顎用に形成した上顎歯列矯正ワイヤと下顎用に形成した下顎歯列矯正ワイヤとを重ね合わせて調整を行うアーチコーディネーションを容易に行うことができる。
【００６２】
歯列矯正ワイヤ形成装置１の製造方法を用いて形成される歯列矯正ワイヤ（例えば、略台形状の歯列矯正ワイヤ１０）は、中切歯Ｔ１から側切歯Ｔ２まで或は中切歯Ｔ１から犬歯Ｔ３までに相当するセットアップ歯型模型Ｍの模型歯列の内側面に沿って湾曲させた湾曲部１１と、少なくとも側切歯Ｔ２から第二小臼歯Ｔ５までに相当するセットアップ歯型模型Ｍの各模型歯の隣り合う模型歯間に折り曲げ形成する屈曲部１２，１２と、屈曲部１２からセットアップ歯型模型Ｍの最後の臼歯に相当する位置まで直線状とした直線部１３と、を具備している。
【００６３】
また、歯列矯正ワイヤ１０は、各模型歯に対応する歯列矯正用のブラケットを備え、各ブラケットに、模型歯とブラケットとの間に形成される接合部２３を形成し、しかも、この接合部２３は、模型歯との間隙に応じてそれぞれ厚みを異ならせている。
【００６４】
本歯列矯正ワイヤは、屈曲部から最後の臼歯まで直線状とした直線部とすることにより、患者の各歯に矯正用のブラケットを固着し、さらにブラケットに歯列矯正ワイヤを取り付けた後において、スライディングメカニクスを効率よく機能することが可能となる。
【００６５】
また、明確な転換点を左右のワイヤ形状に角となるような屈曲部を各１個所設けるだけで、ワイヤベンディング作業が完了することとなる。ワイヤの左右の対称性を把握し易い形状とすることができる。上顎用に形成した上顎用ワイヤと下顎用に形成した下顎用ワイヤとを重ね合わせて調整を行うアーチコーディネーションを容易に行うことができる。
【００６６】
さらに、本歯列矯正ワイヤは、屈曲部を形成するファーストオーダーベンドを行うだけで形状を整えることができる。従来のワイヤで行うセカンドオーダーベンド（垂直的ワイヤー曲げ）やサードオーダーベンド（ねじり或はトルク付与を得る曲げ）を行う必要がない。
【００６７】
なお、本発明を実施形態を通して説明したが、本発明は実施形態に限定されるものではなく、特許請求の範囲の主旨を逸脱することのない限り、各構成要素の形状のレイアウトなどは適宜変更することができる。
【符号の説明】
【００６８】
Ｇ  疑似歯肉
Ｍ  セットアップ歯型模型
１  歯列矯正ワイヤ形成装置
１０  歯列矯正ワイヤ
１１  湾曲部
１２  屈曲部
１３  直線部
２０  台座
２１  座部
２２  リング
２３  接合部
３０  歯
【図１】
0005466121.tif 000002
【図２】
0005466121.tif 000003
【図３】
0005466121.tif 000004
【図４】
0005466121.tif 000005
【図５】
0005466121.tif 000006
【図６】
0005466121.tif 000007
【図７】
0005466121.tif 000008